(57)【要約】【課題】支持受け体が適切に保持固定されていることを、目視によって簡単かつ確実に判断することのできるフロアパネル支持装置を提供する。【解決手段】ベース部１にボルト部２を立設して形成される支持基体３と、支持基体３のボルト部２に螺合されてフロアパネル４を高さ位置調整自在に支持する支持受け体５と、ボルト部２に螺合されて支持受け体５をその下側から当止することで保持固定する緩み止め固定体６と、を備え、緩み止め固定体６は、ボルト部２に螺合される螺合基部７と、螺合基部７から変形部８を介して外側方へ延設される操作片部９と、を有しており、変形部８が塑性変形することで螺合基部７に対して操作片部９が所定角度折曲変形されたことを表示する変形目安手段Ａを緩み止め固定体６に設けた。【選択図】          図１
2004324184.tif 000002
【特許請求の範囲】
【請求項１】
ベース部にボルト部を立設して形成される支持基体と、この支持基体のボルト部に螺合されてフロアパネルを高さ位置調整自在に支持する支持受け体と、同ボルト部に螺合されてこの支持受け体をその下側から当止することで保持固定する緩み止め固定体と、を備え、緩み止め固定体は、ボルト部に螺合される螺合基部と、この螺合基部から変形部を介して外側方へ延設される操作片部と、を有しており、変形部が塑性変形することで螺合基部に対して操作片部が所定角度折曲変形されたことを表示する変形目安手段を、同緩み止め固定体に設けてなるフロアパネル支持装置。
【請求項２】
緩み止め固定体を金属板材で形成し、雌ねじ孔を設けてなる螺合基部と、この螺合基部から同金属板材の長手方向に沿って外側方へ延設される操作片部と、の間に介設される変形部を、巾狭となったくびれ状に形成したことを特徴とする請求項１記載のフロアパネル支持装置。
【請求項３】
くびれ状に形成された変形部の側縁部分に存在する切り込み状部の切り込み開口付近において、同切り込み状部の相対向する一方の側縁部分に凸片部を突設し、この凸片部が他方の側縁部分に重なることで、螺合基部に対して操作片部が所定角度折曲変形されたことを表示する変形目安手段としたことを特徴とする請求項２記載のフロアパネル支持装置。
【請求項４】
緩み止め固定体の板厚分程度に凸片部を上方へ切り起こして形成し、この凸片部を切り込み状部の対向する他方の側縁部分の上側で重なるように突設したことを特徴とする請求項３記載のフロアパネル支持装置。
【請求項５】
緩み止め固定体の螺合基部及び操作片部の各表面に、螺合基部に対して操作片部が所定角度折曲変形された状態で、変形部の略中心を通る一直線上で並ぶように表示マークを配設し、この両表示マークを変形目安手段として設けたことを特徴とする請求項１〜４のいずれか一つに記載のフロアパネル支持装置。
【請求項６】
変形目安手段となる両表示マークを、螺合基部に対して操作片部が所定角度折曲変形された状態で、変形部の略中心を通る一直線上に沿う線状のマークとしたことを特徴とする請求項５記載のフロアパネル支持装置。
【請求項７】
緩み止め固定体を支持受け体に当止させてこれを保持固定するのに最低限必要となる締め付けトルクに達した段階で、螺合基部に対して操作片部が所定角度折曲変形された状態となるものであることを特徴とする請求項１〜６のいずれか一つに記載のフロアパネル支持装置。
【発明の詳細な説明】
【０００１】
【発明の属する技術分野】
本願発明は、床スラブのような床基面の上に間隔をあけてフロアパネルを敷設して二重床構造とするときに、このフロアパネルを支持するフロアパネル支持装置に関するものである。
【０００２】
【従来の技術】
従来から、この種のフロアパネル支持装置として、特開２０００−８７５３７号公報に示される「支柱の構造」が知られている。この「支柱の構造」は、図８に示す如く、床スラブのような床基面１４の上に間隔をあけてフロアパネル４を敷設して二重床構造とするときに、このフロアパネル４を支持するものである。そして、この「支柱の構造」は、ベース部１にボルト部２を立設して形成される支持基体３と、この支持基体３のボルト部２に螺合されてフロアパネル４を高さ位置調整自在に支持する支持受け体５と、同ボルト部２に螺合されてこの支持受け体５をその下側から当止することで保持固定する緩み止め固定体６と、を備えている。
【０００３】
この場合、緩み止め固定体６は、図９に示す如く、前記ボルト部２に螺合される螺合基部７と、この螺合基部７から変形部８を介して外側方へ延設される操作片部９と、を有しており、ここでは、二つの操作片部９が同螺合基部７の両側へ対称に延設されている。又、緩み止め固定体６は金属板材で形成され、雌ねじ孔１０を設けてなる螺合基部７と、この螺合基部７から同金属板材の長手方向に沿って両外側方へ延設される各操作片部９と、の間に介設される両変形部８が、巾狭となったくびれ状に形成されて、各変形部８の両縁側部分には切り込み状部１１が存在しており、両変形部８では塑性変形され易くなっている。
【０００４】
そして、フロアパネル４が所定の高さ位置で支持されるように高さ位置調整された後の支持受け体５に対して、その下側から緩み止め固定体６を螺合回動させて締め付け、同支持受け体５に当止させてこれを保持固定するものである。その際、緩み止め固定体６はその操作片部９に外力が加えられて回動操作されるものであり、一定以上の外力を加えると、同操作片部９は変形部８を基点として折れ曲がるように変形するものである。これにより、支持受け体５が既にロックされたものであるか否かを目視によって確認することができ、又、この場合、緩み止め固定体６を水平に回動させてその締め付け作業が行われるので、低床であっても作業し易く、同緩み止め固定体６を緩めて再度調整することも可能となる。
【０００５】
【特許文献１】
特開２０００−８７５３７号公報
【０００６】
【発明が解決しようとする課題】
しかしながら、上記従来の技術にあっては、支持受け体５が既にロックされたものであるか否かを目視によって確認することはできても、緩み止め固定体６の締め付け度合いが適切であるか否かを目視によって判断することはできないものであった。すなわち、緩み止め固定体６を回動させて締め付ける際に、どの程度まで締め付ければ良いかという基準が不明確で、締め付けトルクに差を生じ、支持固定の確実性に関して施工バラツキを発生するものであった。
【０００７】
この場合、一定以上の外力によって操作片部９が変形するので、変形するまで同操作片部９に外力を加えて、緩み止め固定体６を回動させ締め付ければ良いものではあるが、変形するまでといってもその変形度合いはまちまちで、どの程度変形すれば所定の締め付けトルクで締め付けられたことになるかを、個々の作業者が判断することは困難で基準という面でも問題があった。
【０００８】
そこで、操作片部９の曲げ変形量をゲージで測定して、所定の締め付けトルクで締め付けられたことを確認する作業を行うこともあったが、施工現場で多数の対象についてゲージ測定で確認するという作業は、極めて困難で手間のかかる作業となっていた。又、施工者に対し施工説明書等で、操作片部９が所定の角度に折れ曲がるまで締め付け作業を行う旨の説明を行うこともあったが、この場合には、所定の角度という基準が不明確で目視によっては確認し難く、施工バラツキが依然として発生するものであった。
【０００９】
本願発明は、上記従来の技術に鑑みて発明されたものであり、その課題は、フロアパネルを支持する支持受け体が適切に保持固定されていることを、目視によって簡単かつ確実に判断することのできるフロアパネル支持装置を提供することである。
【００１０】
【課題を解決するための手段】
上記課題を解決するために、本願発明のフロアパネル支持装置では、ベース部にボルト部を立設して形成される支持基体と、この支持基体のボルト部に螺合されてフロアパネルを高さ位置調整自在に支持する支持受け体と、同ボルト部に螺合されてこの支持受け体をその下側から当止することで保持固定する緩み止め固定体と、を備え、緩み止め固定体は、ボルト部に螺合される螺合基部と、この螺合基部から変形部を介して外側方へ延設される操作片部と、を有しており、変形部が塑性変形することで螺合基部に対して操作片部が所定角度折曲変形されたことを表示する変形目安手段を、同緩み止め固定体に設けてなる構成としたものである。
【００１１】
したがって、この場合、緩み止め固定体をその操作片部に外力を加えて回動操作することにより、フロアパネルを所定高さで支持する支持受け体は、その下側から同緩み止め固定体が当止することで保持固定される。その際、支持受け体が適切に保持固定される程度に緩み止め固定体が螺合回動され締め付けられた段階で、同緩み止め固定体の変形部は塑性変形し、螺合基部に対し前記操作片部が所定角度折曲変形された状態となる。そして、緩み止め固定体に設けられた変形目安手段の表示により、前記変形部が塑性変形して螺合基部に対し操作片部が所定角度折曲変形されたことを目視によって簡単かつ確実に判断することができ、支持固定の確実性に関する施工のバラツキを減少させることができる。
【００１２】
【発明の実施の形態】
図１〜４は、本願請求項１〜４、７に対応した第一の実施形態であるフロアパネル支持装置を示している。この実施形態のフロアパネル支持装置は、図１、４に示す如く、ベース部１にボルト部２を立設して形成される支持基体３と、この支持基体３のボルト部２に螺合されてフロアパネル４を高さ位置調整自在に支持する支持受け体５と、同ボルト部２に螺合されてこの支持受け体５をその下側から当止することで保持固定する緩み止め固定体６と、を備えている。
【００１３】
そして、図２に示す如く、緩み止め固定体６は、前記ボルト部２に螺合される螺合基部７と、この螺合基部７から変形部８を介して外側方へ延設される操作片部９と、を有しており、変形部８が塑性変形することで螺合基部７に対して操作片部９が所定角度α折曲変形されたことを表示する変形目安手段Ａを、同緩み止め固定体６に設けた構成となっている。この場合には、緩み止め固定体６の両側に変形目安手段Ａが配設されている。
【００１４】
又、この実施形態のフロアパネル支持装置では、緩み止め固定体６を略長方形状の金属板材で形成し、雌ねじ孔１０を設けてなる螺合基部７と、この螺合基部７から同金属板材の長手方向に沿って外側方へ延設される操作片部９と、の間に介設される変形部８を、巾狭となったくびれ状に形成している。なお、操作片部９は、上記従来の技術のものと同様に、螺合基部７の両外側方へ対称に延設されてもよい。
【００１５】
この場合に、くびれ状に形成された変形部８の両側縁部分に存在する各切り込み状部１１の切り込み開口付近において、同切り込み状部１１の相対向する一方の側縁部分に凸片部１２を突設し、この凸片部１２が他方の側縁部分に重なることで、螺合基部７に対して操作片部９が所定角度α折曲変形されたことを表示する変形目安手段Ａとしている。ここでは、緩み止め固定体６の板厚分程度に凸片部１２を上方へ切り起こして形成し、この凸片部１２を切り込み状部１１の対向する他方の側縁部分の上側で重なるように突設してもいる。
【００１６】
そして、この実施形態のフロアパネル支持装置では、緩み止め固定体６を支持受け体５に当止させてこれを保持固定するのに最低限必要となる締め付けトルクに達した段階で、螺合基部７に対して操作片部９が所定角度α折曲変形された状態となるものである。
【００１７】
以下、この実施形態のフロアパネル支持装置を、より具体的に説明する。このフロアパネル支持装置全体では、図１、４に示す如く、支持基体３と支持受け体５と緩み止め固定体６とが主体構成となる。支持基体３はベース部１とその中央に立設されるボルト部２とでなり、このボルト部２の下端が同ベース部１に対して回動自在に装着されている。ベース部１の周縁部分には、コンクリートスラブ等の床下地となる床基面１４に固定するための複数の取付用孔１５が配置穿設されている。ボルト部２の外周にはその上下略全長にわたって雄ねじ２ａが設けられ、支持受け体５の中央部分で上下に貫通する筒状スペースの内周には雌ねじ５ａが設けられている。
【００１８】
そして、前記支持受け体５の雌ねじ５ａがボルト部２の雄ねじ２ａに螺合されることで、この支持受け体５は同ボルト部２に対し相対的に螺合回動して上下動高さ位置調整自在に装着されている。支持受け体５の四方上面にはクッションゴム１６が装着されており、各クッションゴム１６の間で同支持受け体５の四角部分にはパネル固定孔１８が配置穿設されている。又、支持受け体５中央の前記筒状スペースの上端開口部分には、その内周の雌ねじ５ａに螺合されることでキャップ１７が着脱自在に装着されている。
【００１９】
この場合、前記支持受け体５の四角部分上にフロアーパネル４の角部分が各々設置され、四方に配置されることになるフロアーパネル４の角部分の上端縁フランジ部分がその両側のクッションゴム１６上に載置され、この各角部分は同支持受け体５の前記パネル固定孔１８を用いて固定される。この固定状態にあっても、各フロアーパネル４の角部分間の中央では、支持受け体５中央の前記筒状スペースの上端開口部分が上方へ突出しており、前記キャップ１７を外して、同上端開口部分からその内部の前記ボルト部２の上端部分（操作され得る形状となっている）をレンチ等の工具で回動操作することにより、同支持受け体５を上下螺合動作させることができる。ここでは、ボルト部２が床基面１４上に設置固定されているベース部１に対して回動し、支持受け体５はそれ自体が回動することなくフロアーパネル４を支持したままで上下螺合動作される。
【００２０】
緩み止め固定体６は、前記支持受け体５が上下螺合動作することを阻止するものである。すなわち、図２に示す如く、緩み止め固定体６はその全体が略長方形状の金属板材で形成され、この金属板材の一端側に形成されて雌ねじ孔１０を有する螺合基部７と、同金属板材の他端側に延設形成される操作片部９と、この螺合基部７と操作片部９との間で同金属板材が巾狭となったくびれ状に形成されることで介設される変形部８と、でその主体は構成されている。変形部８が巾狭となったくびれ状に形成されることで、緩み止め固定体６の中程両側には同変形部８の側縁部分で切り込み状部１１が形成されることになる。なお、この場合、緩み止め固定体６の片側のみに切り込み状部１１が形成されるだけでも、変形部８は巾狭となったくびれ状となり得るものである。
【００２１】
緩み止め固定体６の螺合基部７では、図１（ｃ）、図４に示す如く、同螺合基部７部位の金属板材の下側にナット１９をカシメ、溶接等で固着することにより雌ねじ孔１０を形成している。この場合、ナット１９をレンチ等の工具で回動操作することによっても、緩み止め固定体６を緩めたり締め付けたりすることができ、操作片部９が誤って変形し過ぎたり破損したとき等の通常でない際にも対応可能となり、同ナット１９を回動操作して再度調整作業を行うこともできる。なお、螺合基部７部位の金属板材にバーリング加工を施して、このバーリング加工された筒状突出部分の内部を雌ねじ孔１０として直接に形成してもよい。
【００２２】
そして、図２（ａ）に示す如く、前記緩み止め固定体６の変形部８両側の切り込み状部１１の各切り込み開口部分では、同切り込み状部１１の螺合基部７側の側縁部分から凸片部１２が一体に突出形成されている。この場合、図２（ｃ）に示す如く、凸片部１２は緩み止め固定体６の板厚分程度に上方へ切り起こし形成され、切り込み状部１１の対向する操作片部９側の側縁部分の上側で重なるように突設されている。又、図２（ｂ）に示す如く、操作片部９に外力が加えられて螺合基部７が螺合回動され、変形部８が塑性変形して同操作片部９が所定角度α折曲変形された状態において、前記凸片部１２の先端は切り込み状部１１の対向する操作片部９側の側縁部分の上側に重なり、この段階で、緩み止め固定体６を支持受け体５に対して締め付け固定するために必要な最低限の締め付けトルクが得られる。
【００２３】
すなわち、図２（ａ）に示す如く、操作片部９が折曲変形されていない緩み止め固定体６の当初形態で、前記凸片部１２の先端とこれに対向する切り込み状部１１の側縁部分との間隔寸法Ｗが、前記最低限必要となる締め付けトルクを確保するための最小限の曲げ巾寸法として設定されている。又、この場合、凸片部１２の先端が切り込み状部１１の対向する側縁部分の上側に重なった段階で最低限必要な締め付けトルクが得られ、必要に応じてより以上に操作片部９を折曲変形させて更なる締め付けトルクを得ることもでき、その際、最終的には同凸片部１２の切り起こし基端部分が対向する側縁部分に当止することで、同操作片部９の不必要で無理な折曲変形は防止される。
【００２４】
これにより、所定範囲内の適切な締め付けトルクで緩み止め固定体６による締め付け固定作業は行われ、操作片部９の変形し過ぎや破損も防止されて、この操作片部９を操作して再度調整作業を行うことができる。なお、前記凸片部１２の重なりによって表示する変形目安手段Ａは緩み止め固定体６の両側に配設されており、この緩み止め固定体６が表裏反対に装着された際にも、他方の変形目安手段Ａを用いることで対応可能となっているが、その際には、凸片部１２が切り込み状部１１の対向する側縁部分の下側に重なることになり、作業者はこれを上方から目視し難いものである。
【００２５】
それ故、緩み止め固定体６の螺合基部７の雌ねじ孔１０とボルト部２の雄ねじ２ａとの螺合関係（右ねじか左ねじかであるが通常は右ねじ）によって締め付け回動方向は決定されることから、この回動方向へと操作片部９が折曲変形される側で対応するように、変形目安手段Ａは同緩み止め固定体６の片側にのみ設けられてもよい。この場合、緩み止め固定体６の装着状態における表裏（上下）面が決定され、その螺合回動方向も操作し易い方向に設定されて、この操作に支障を来すことはない。
【００２６】
又、この実施形態のフロアパネル支持装置では、図３に示す如く、上操作具２０と下操作具２１とを用いて締め付け作業を楽に行うことができる。すなわち、上操作具２０の先端部分には嵌合部２０ａが形成されており、この嵌合部２０ａを支持受け体５にその上側から嵌合し、下操作具２１の先端部分を緩み止め固定体６の操作片部９に差し込むように嵌合する。そして、この状態で、上操作具２０と下操作具２１とを相反する方向へ回動させるように操作することにより、緩み止め固定体６の螺合基部７が支持受け体５に対し締め付けられてその下側に当止され、同支持受け体５を緩み動かないように保持固定する。その後、上記の如く、支持受け体５上にフロアーパネル４が設置されるものであり、その際、図４に示す如く、同フロアーパネル４上にはカーペットのような床仕上げ材２２が敷設されてもよい。
【００２７】
したがって、この実施形態のフロアパネル支持装置においては、緩み止め固定体６をその操作片部９に外力を加えて回動操作することにより、フロアパネル４を所定高さで支持する支持受け体５は、その下側から同緩み止め固定体６の螺合基部７が当止することで保持固定される。その際、支持受け体５が適切に保持固定される程度に緩み止め固定体６が螺合回動され締め付けられた段階で、すなわち、所定の締め付けトルクに達した段階で、同緩み止め固定体６の変形部８は塑性変形し、螺合基部７に対して前記操作片部９が所定角度α折曲変形された状態となる。
【００２８】
そして、緩み止め固定体６に設けられた変形目安手段Ａの表示により、前記変形部８が塑性変形して螺合基部７に対し操作片部９が所定角度α折曲変形されたことを、作業者は目視によって簡単かつ確実に判断することができ、支持固定の確実性に関する施工のバラツキは減少される。しかも、外側方に延設される操作片部９を操作することにより、緩み止め固定体６を水平に回動させてその締め付け作業が行われるので、二重床構造が低床であっても作業し易く、同緩み止め固定体６を緩めて同様に再度調整することもできる。
【００２９】
又、この実施形態のフロアパネル支持装置においては、緩み止め固定体６が略長方形状の金属板材で形成され、その螺合基部７と操作片部９との間に介設される変形部８は巾狭となったくびれ状に形成されているので、この変形部８が塑性変形し易いのに対して、その両側の螺合基部７及び操作片部９がその各々では塑性変形し難くなり、この両者の相互位置関係で表示することになる変形目安手段Ａの表示精度が向上される。
【００３０】
又、この実施形態のフロアパネル支持装置においては、前記変形部８の両側縁部分に存在することになる切り込み状部１１の切り込み開口付近で、同切り込み状部１１の相対向する一方の側縁部分に凸片部１２が突設されている。そして、変形目安手段Ａは、前記凸片部１２が切り込み状部１１の対向する他方の側縁部分に重なることにより表示するものであるため、螺合基部７に対して操作片部９が所定角度α折曲変形されたことを、作業者は同凸片部１２の重なった状態を目視確認して容易に判断することができる。
【００３１】
しかも、この場合、緩み止め固定体６の板厚分程度に、前記凸片部１２は上方へ切り起こして形成され、この凸片部１２が切り込み状部１１の対向する他方の側縁部分の上側で重なるように突設されているので、同凸片部１２は対向する他方の側縁部分に当止しないようスムーズに重なり、この重なった状態を上方から作業者がより目視確認し易くなって、変形目安手段Ａの表示精度は更に向上される。
【００３２】
そして、この実施形態のフロアパネル支持装置においては、緩み止め固定体６を支持受け体５に当止させてこれを保持固定するのに最低限必要となる締め付けトルクに達した段階で、螺合基部７に対して操作片部９が所定角度α折曲変形された状態となるので、これを表示する変形目安手段Ａの表示に基づいて締め付け作業を行えば、最低限の締め付けトルクによる支持受け体５の保持固定強度は確保され、必要に応じてそれ以上の締め付けトルクで締め付け作業を行うこともできる。
【００３３】
図５は、本願請求項１〜４、７に対応した第二の実施形態であるフロアパネル支持装置を示している。この実施形態のフロアパネル支持装置では、緩み止め固定体６の変形部８の両側縁部分に存在する両切り込み状部１１の各切り込み開口部分において、同切り込み状部１１の操作片部９側の側縁部分に凸片部１２が突設されており、この凸片部１２は同切り込み状部１１の対向する螺合基部７側の側縁部分の上側に重なるものである。なお、それ以外は、上記第一の実施形態と同様に構成され、上記第一の実施形態におけると同様の作用効果が奏される。
【００３４】
図６は、本願請求項１、２、５〜７に対応した第三の実施形態であるフロアパネル支持装置を示している。この実施形態のフロアパネル支持装置では、緩み止め固定体６の螺合基部７及び操作片部９の各表面に、螺合基部７に対して操作片部９が所定角度α折曲変形された状態で、変形部８の略中心を通る一直線Ｌ上で並ぶように表示マーク１３ａ、１３ｂを配設し、この両表示マーク１３ａ、１３ｂを変形目安手段Ａとして設けている。
【００３５】
この場合、変形目安手段Ａとなる両表示マーク１３ａ、１３ｂを、螺合基部７に対して操作片部９が所定角度α折曲変形された状態で、変形部８の略中心を通る一直線Ｌ上に沿う線状のマークとしている。又、螺合基部７側に設けられる表示マーク１３ａが同螺合基部７及び操作片部９に連続する中心線Ｍの両側に対にして配設されており、操作片部９側に設けられる表示マーク１３ｂは同中心線Ｍ上に一つだけ設けられている。
【００３６】
そして、図６（ａ）に示す如く、緩み止め固定体６の無変形状態では、両表示マーク１３ａと表示マーク１３ｂとがいずれも相互に傾斜した表示形態となり、図６（ｂ）に示す如く、操作片部９が所定角度α折曲変形された緩み止め固定体６の変形状態では、両表示マーク１３ａのいずれか一方と表示マーク１３ｂとが前記中心線Ｍに対して角度αだけ傾斜する前記一直線Ｌ上で直線的に並んだ表示形態となる。両表示マーク１３ａ、１３ｂが一直線Ｌ上で並んだ状態で、最低限必要となる締め付けトルクにより操作片部９は所定角度α折曲変形されているが、必要に応じてそれ以上の締め付けトルクで締め付け作業を行うこともできる。
【００３７】
又、この実施形態にあっても、螺合基部７の雌ねじ孔１０での螺合形態によって締め付け回動方向は決定されることから、この回動方向へと操作片部９が折曲変形された際に、同操作片部９の表示マーク１３ｂと一直線Ｌ上で並ぶ一方の表示マーク１３ａだけを設けて、変形目安手段Ａを単一のものとしてもよい。又、各表示マーク１３ａ、１３ｂは、金属板材でなる緩み止め固定体６に対し刻印を施すことで容易に形成されているが、塗装や印刷或いはテープを貼着することによっても容易に形成されるものである。
【００３８】
したがって、この実施形態のフロアパネル支持装置において、変形目安手段Ａは緩み止め固定体６の螺合基部７及び操作片部９の各表面に配設される表示マーク１３ａ、１３ｂでなり、この両表示マーク１３ａ、１３ｂが変形部８の略中心を通る一直線Ｌ上で並んだ状態を表示するものであるため、螺合基部７に対して操作片部９が所定角度α折曲変形されたことを、作業者は両表示マーク１３ａ、１３ｂの前記一直線Ｌ上に並んだ状態を目視確認して容易に判断することができる。
【００３９】
しかも、この場合、変形目安手段Ａとなる両表示マーク１３ａ、１３ｂを、螺合基部７に対して操作片部９が所定角度α折曲変形された状態で、変形部８の略中心を通る一直線Ｌ上に沿う線状のマークとしているので、同状態では線状の両表示マーク１３ａ、１３ｂが相互に傾斜することなく直線的に配列されて、作業者はこの両線状のマークの直線的な配列状態を表面側からより目視確認し易くなり、変形目安手段Ａの表示精度が更に向上される。
【００４０】
なお、それ以外は、上記第一の実施形態と同様に構成され、上記第一の実施形態におけると同様の作用効果が奏される。又、この実施形態において変形目安手段Ａとなる両表示マーク１３ａ、１３ｂを、上記第一、第二の実施形態のフロアパネル支持装置において同様に配設することもでき、この場合には、二種類の変形目安手段Ａが配設されることになって、作業者の目視による判断はより簡単かつ確実なものとなり、支持固定の確実性に関する施工バラツキが更に減少される。
【００４１】
図７は、本願請求項１、２、５〜７に対応した第四の実施形態であるフロアパネル支持装置を示している。この実施形態のフロアパネル支持装置では、操作片部９側に設けられる表示マーク１３ｂが螺合基部７及び同操作片部９に連続する中心線Ｍの両側に対にして配設されており、螺合基部７側に設けられる表示マーク１３ａは同中心線Ｍ上に一つだけ設けられている。なお、それ以外は、上記第三の実施形態と同様に構成され、上記第三の実施形態におけると同様の作用効果が奏される。
【００４２】
又、上記各実施形態においては、緩み止め固定体６として板状のものを示したが、本願発明における緩み止め固定体６は、例えば、棒状やブロック状のものであってもよく、このような場合には、変形部８を小径或いは薄肉状とすることで形成することができる。又、本願発明における変形目安手段Ａとしては、凸片部１２や表示マーク１３によるものだけでなく、例えば、ブロック状の螺合基部７から棒状の操作片部９を小径となる変形部８を介し結合突設して緩み止め固定体６を形成し、その際、同操作片部９をその回動操作方向と反対側に予め所定角度だけ傾斜するように突設しておいて、この操作片部９が締め付け作業の外力により変形部８の塑性変形に伴って折曲変形し、同螺合基部７から傾斜なく真っ直ぐ突出する状態となった段階で、同操作片部９は所定角度折曲変形され、変形目安手段Ａが前記操作片部９の真っ直ぐ突出した状態を表示するものであってもよい。
【００４３】
【発明の効果】
本願請求項１記載のフロアパネル支持装置においては、緩み止め固定体の変形部が塑性変形して操作片部は螺合基部に対し所定角度折曲変形され、この状態でフロアパネルを支持する支持受け体が適切な強度で保持固定されているものであり、この適切に保持固定されていることを、同緩み止め固定体に設けられた変形目安手段による表示を目視することで簡単かつ確実に判断することができ、支持固定の確実性に関する施工バラツキも減少される。
【００４４】
本願請求項２記載のフロアパネル支持装置においては、特に、金属板材で形成された緩み止め固定体の螺合基部と操作片部との間に位置する変形部が、巾狭となったくびれ状に形成されて、この変形部は塑性変形し易く、その両側の螺合基部及び操作片部がその各々では塑性変形し難くなり、この両者の相互位置関係で表示することになる変形目安手段の表示精度が向上される。
【００４５】
本願請求項３記載のフロアパネル支持装置においては、特に、変形部の側縁部分に存在する切り込み状部の切り込み開口付近で、相対向する一方の側縁部分に凸片部が突設され、この凸片部が他方の側縁部分に重なることによって、変形目安手段は表示するものであり、作業者は同表示を目視確認して操作片部が所定角度折曲変形されたことを容易に判断することができる。
【００４６】
本願請求項４記載のフロアパネル支持装置においては、特に、凸片部が緩み止め固定体の板厚分程度に上方へ切り起こし形成されて、切り込み状部の対向する他方の側縁部分の上側にスムーズに重なり、この重なった状態を上方から作業者はより目視確認し易くなって、変形目安手段の表示精度が更に向上される。
【００４７】
本願請求項５記載のフロアパネル支持装置においては、特に、緩み止め固定体の螺合基部及び操作片部の各表面に配設される両表示マークが変形目安手段となって、この変形目安手段は両表示マークが変形部の略中心を通る一直線上で並んだ状態を表示するものであり、作業者は同表示を目視確認して操作片部が所定角度折曲変形されたことを容易に判断することができる。
【００４８】
本願請求項６記載のフロアパネル支持装置においては、特に、両表示マークが線状のマークであり、操作片部が所定角度折曲変形された状態では線状の両表示マークが直線的に配列され、この両マークの直線的な配列状態を表面側から作業者はより目視確認し易くなって、変形目安手段の表示精度が更に向上される。
【００４９】
本願請求項７記載のフロアパネル支持装置においては、特に、支持受け体を保持固定するのに最低限必要となる締め付けトルクに達した段階で、操作片部が所定角度折曲変形された状態となり、これを表示する変形目安手段に基づいて締め付け作業を行えば、最低限の締め付けトルクによる保持固定強度は確保され、必要に応じてより強固な締め付けトルクで保持固定させることもできる。
【図面の簡単な説明】
【図１】本願発明の第一の実施形態であるフロアパネル支持装置を示しており、（ａ）はその斜視図、（ｂ）はその平面図、（ｃ）はその正面側からみた半断面図。
【図２】同フロアパネル支持装置の緩み止め固定体を示しており、（ａ）はその無変形状態での平面図、（ｂ）はその変形状態での平面図、（ｃ）は（ａ）におけるＸ−Ｘ断面図。
【図３】同フロアパネル支持装置の締め付け作業状態を示す斜視図。
【図４】同フロアパネル支持装置の施工状態を示す一部切欠正面図。
【図５】本願発明の第二の実施形態であるフロアパネル支持装置の緩み止め固定体を示しており、（ａ）はその無変形状態での平面図、（ｂ）はその変形状態での平面図、（ｃ）は（ａ）におけるＹ−Ｙ断面図。
【図６】本願発明の第三の実施形態であるフロアパネル支持装置の緩み止め固定体を示しており、（ａ）はその無変形状態での平面図、（ｂ）はその変形状態での平面図。
【図７】本願発明の第四の実施形態であるフロアパネル支持装置の緩み止め固定体を示しており、（ａ）はその無変形状態での平面図、（ｂ）はその変形状態での平面図。
【図８】従来の技術である「支柱の構造」の施工状態を示す一部切欠正面図。
【図９】同「支柱の構造」の緩み止め固定体を示すその無変形状態での斜視図。
【図１０】同「支柱の構造」の締め付け作業後の状態を示しており、（ａ）はその全体斜視図、（ｂ）はその緩み止め固定体の変形状態での概略平面図。
【符号の説明】
１  ベース部
２  ボルト部
３  支持基体
４  フロアパネル
５  支持受け体
６  緩み止め固定体
７  螺合基部
８  変形部
９  操作片部
１０  雌ねじ孔
１１  切り込み状部
１２  凸片部
１３  表示マーク
１３ａ  表示マーク（螺合基部７側）
１３ｂ  表示マーク（操作片部９側）
Ａ  変形目安手段
α  所定角度
【図１】
2004324184.tif 000003
【図２】
2004324184.tif 000004
【図３】
2004324184.tif 000005
【図４】
2004324184.tif 000006
【図５】
2004324184.tif 000007
【図６】
2004324184.tif 000008
【図７】
2004324184.tif 000009
【図８】
2004324184.tif 000010
【図９】
2004324184.tif 000011
【図１０】
2004324184.tif 000012